(57)【要約】【課題】２つの枠部材からなる筐体を有するカメラにおいて、落下等に対する耐衝撃性に優れ、小型化も可能であるカメラを提供する。【解決手段】カメラ１は、互いに結合してカメラ筐体を形成し、互いの突部２ｂと溝部３ｂが嵌合して一体化される前カバー２および後カバー３とを有し、さらに、前カバー２および後カバー３により形成される空間内に配され、カメラ構成部材としては比較的に重い２つの構成ユニットであって、前カバー２に固着されるレンズ鏡枠ユニット５と後カバー３に固着される電源ユニット７とを内蔵しており、このカメラ１が落下し、前カバー２側、または、後カバー３側のいずれかの角部が床面１００等に当接した場合、上述したように比較的に重い構成ユニットが前カバー２と後カバー３とに分散して固着されているので前カバー２の突部２ｂが受ける衝撃力が弱まり、該突部２ｂの破損が防止される。【選択図】図５
2008090190.tif 000002
【特許請求の範囲】
【請求項１】
カメラの筐体を形成する第一の枠部材と、
上記第一の枠部材と結合して上記カメラの筐体を形成する第二の枠部材と、
上記第一の枠部材と上記第二の枠部材とで形成される空間内に配置され、上記第一の枠部材により支持される第一のユニットと、
上記第一の枠部材と上記第二の枠部材とで形成される空間内に配置され、上記第二の枠部材により支持される第二のユニットと、
を有することを特徴とするカメラ。
【請求項２】
上記第一のユニットは、撮影レンズユニットであり、上記第二のユニットは、電源ユニットであることを特徴とする請求項１記載のカメラ。
【請求項３】
上記第一の枠部材と上記第二の枠部材とは、溝とこれに嵌合する突部とで結合されていることを特徴とする請求項１記載のカメラ。
【請求項４】
上記第一の枠部材と上記第二の枠部材は、上記カメラの外装を構成することを特徴とする請求項１記載のカメラ。
【発明の詳細な説明】
【技術分野】
【０００１】
本発明は、カメラの構造に関する。
【背景技術】
【０００２】
従来、２つの枠部材、例えば、前カバーと後カバーを組み合わせて１つの筐体を形成するタイプのカメラの樹脂製箱型外装筐体は、上記枠部材の組み合わせ面に嵌合部となる環状の突部と溝部とが配されており、その突部と溝部とを嵌合させて上記２つの枠部材の位置決めを行い、ビス等によりネジ締結した構造のものが一般的である。
【０００３】
図６は、上記外装筐体を採用した従来のカメラの断面図であって、落下したときの状態を示す。このカメラの外装筐体１１は、前カバー１２と後カバー１３とからなり、後カバー１３に配されている溝部１３ａに前カバー１２に配されている突部１２ａを嵌入させ、ビス等で締結して組み立てられている。後カバー１３内部の底面部１３ｂには、カメラ構成部材である電源ユニット１４とレンズ鏡枠ユニット１５とがビス等により締結し、固着されている。
【０００４】
万一、上記従来のカメラを落下させて、図６に示すように床面１００等に前カバー１２側が当接した場合、その衝撃力の大きさによっては前カバー１２と後カバー１３とにずれが生じて突部１２ａが破損する虞れがあった。
【０００５】
上記落下時の破損防止の箱内緩衝材として特許文献１に開示されたものは、箱の内部四隅に配設可能な緩衝材であり、この緩衝材は、箱内部に収納される物品の外周部分８箇所に当接させた状態で配置される。
【特許文献１】特開平３−５６２７５号公報
【発明の開示】
【発明が解決しようとする課題】
【０００６】
上述した図６の従来のカメラの外装筐体１１においては、上述したように後カバー１３側にカメラ構造部材として比較的重量の大きい電源ユニット１４およびレンズ鏡枠ユニット１５が偏った状態で固着されている。したがって、前カバー１２側から落下した場合、電源ユニット１４とレンズ鏡枠ユニット１５による大きな衝撃力が突部１２ａに作用し、突部１２ａの破損の原因となる。
【０００７】
そこで、上述した特許文献１に開示されている緩衝材を上記従来のカメラの外装筐体１１内に収納して耐衝撃性を向上させようとしても上記筐体が大型化するので適用は困難である。
【０００８】
本発明は、上述の問題を解決するためになされたものであり、少なくとも２つの枠部材からなる筐体を有するカメラにおいて、落下等に対する耐衝撃性に優れ、小型化も可能であるカメラを提供することを目的とする。
【課題を解決するための手段】
【０００９】
本発明の請求項１記載のカメラは、第一の枠部材と、上記第一の枠部材と結合してカメラの筐体を形成する第二の枠部材と、上記第一の枠部材と上記第二の枠部材とで形成される空間内に配置され、上記第一の枠部材により支持される第一のユニットと、上記第一の枠部材と上記第二の枠部材とで形成される空間内に配置され、上記第二の枠部材により支持される第二のユニットとを有する。
【００１０】
本発明の請求項２記載のカメラは、請求項１記載のカメラにおいて、上記第一のユニットは、撮影レンズユニットであり、上記第二のユニットは、電源ユニットである。
【００１１】
本発明の請求項３記載のカメラは、請求項１記載のカメラにおいて、上記第一の枠部材と上記第二の枠部材とは、溝とこれに嵌合する突部とで結合されている。
【００１２】
本発明の請求項４記載のカメラは、請求項１記載のカメラにおいて、上記第一の枠部材と上記第二の枠部材は、上記カメラの外装を構成する。
【発明の効果】
【００１３】
本発明によれば、少なくとも２つの枠部材からなる筐体を有するカメラにおいて、落下等に対する耐衝撃性に優れ、小型化も可能であるカメラを提供することを目的とする。
【発明を実施するための最良の形態】
【００１４】
以下、図を用いて本発明の実施形態について説明する。  
図１は、本発明の一実施形態としてのカメラの斜視図である。図２は、上記カメラの背面図である。図３は、図１のカメラの外装ケースを構成する前カバーと後カバーとの分解斜視図である。図４は、上記前カバー取り扱いとカバーを組み合わせたときの図３のＡ−Ａ断面図である。図５は、図１のカメラが床面上に落下したときの状態を示す断面図である。
【００１５】
本実施形態のカメラ１は、カメラの外装筐体としての第一の枠部材である前カバー２および第二の枠部材である後カバー３と、さらに、該前，後カバーにより形成される空間に収納される主要構成ユニットであって、第一のユニットのレンズ鏡枠ユニット５および第二のユニットの電源ユニット７とを有している。
【００１６】
前カバー２および後カバー３は、ともにポリカーボネイト樹脂等からなるの合成樹脂製であり、カバー対向方向であるＺ0 方向に開口する開口部を有する箱状の枠体である。
【００１７】
前カバー２には、前面部にレンズ窓２ｚが設けられ、上面部にレリーズ釦１０が配されており、Ｚ0 方向に垂直な平面からなる、開口を囲む環状の対向面２ａを有している。対向面２ａ上には環状の突部２ｂが形成されている。また、四角部に締結ビス９を螺合させるためのねじ穴（セルフタッピング穴）２ｙが配されている。
【００１８】
前カバー２の内部底面部２ｃ上にはレンズ鏡枠ユニット５が該ユニットを挿通させたビス６を該底面部のねじ穴２ｘに螺着して固着、支持される。このレンズ鏡枠ユニット５には、駆動モータやレンズ群を含む鏡枠部材が組み込まれており、カメラ構成ユニットとしては比較的に他のカメラ構成ユニットよりも重量が大きいユニットである。
【００１９】
後カバー３は、Ｚ0 方向に垂直な平面からなる、開口を囲む環状の対向面３ａを有しており、その対向面３ａ上には環状の溝部３ｂが形成されている。また、四角部に締結ビス９を挿通させるための挿通孔３ｙが配されている。
【００２０】
後カバー３の内部底面部３ｃ上には電源ユニット７が該ユニット挿通させたビス８を該底面部のねじ穴（図示せず）に螺着して固着、支持される。この電源ユニット７には、電池が収納可能であり、カメラ構成ユニットとしてはレンズ鏡枠ユニット５と共に比較的に他のカメラ構成ユニットよりも重量が大きいユニットである。
【００２１】
前カバー２と後カバー３との組み立ては、図４に示すように突部２ｂを溝部３ｂに嵌入させ、対向面２ａ，３ａをそれぞれ互いに当接させる。そして、四角部にて挿通孔３ｙを挿通させた締結ビス９をねじ穴２ｙに螺着して前カバー２と後カバー３とが一体化される。
【００２２】
上述した構成を有するカメラ１をＳ0 方向に落下させ、図５に示すように前カバー２側の角部が床面１００等に衝突した場合、締結ビス９で固定された状態であってもねじ部のずれやケースの弾性変形によって、前カバー２と後カバー３との間に相対位置ずれが生じようとして前カバー２の突部２ｂに衝撃力が作用する。
【００２３】
しかし、カメラ１においては、上述したように比較的に重いユニットのレンズ鏡枠ユニット５が前カバー２側に、また、電池ユニット７が後カバー３側にそれぞれ固着されている。したがって、前カバー２の突部２ｂに作用する衝撃力が前記図６の従来のカメラ１１の場合に比べてレンズ鏡枠ユニット５による衝撃分だけに減少し、突部２ｂの破損が防止できる。
【００２４】
一方、カメラ１を落下させ、後カバー３側の角部が床面１００等に衝突した場合であっても上述したように比較的に重いユニットが前カバー２と後カバーに分けて固着されているので前カバー２の突部２ｂに作用する衝撃力が前記図６の従来のカメラ１１の場合に比べて電源ユニット７による衝撃分だけに減少し、突部２ｂの破損が防止できる。
【００２５】
上述したように本実施形態のカメラ１の構造によれば、カメラに内蔵される比較的に重い複数のユニットを前カバー２，後カバー３に分散して固着することにより落下時にカバーの嵌合用突部に作用する衝撃力を減らすことで、構造を複雑化することなく、上記突部の破損を防止することができ、また、小型化も可能である。
【００２６】
なお、上述したカメラ１では、前カバー２側にレンズ鏡枠ユニット５を固着し、後カバー３側に電源ユニット７を固着し、支持する構造を採用したが、これに限らず、上記各構成ユニットを逆側のカバーに固着する構造を採用しても同様の効果が得られる。
【００２７】
さらに、上述したカメラ１では、前カバー２側と後カバー３側にそれぞれ１つずつの主要構成ユニットを固着するような構成としてが、これに限らず、前カバー２側、または、後カバー３側に複数の構成ユニットをそれらの重量のバランスを取って分散して配し、固着することによりさらなる効果を奏することができる。また、カメラの外装筐体として前カバー２と後カバー３との間に中間枠部材が配されるものに対しても前カバー２と後カバー３とに固着される構成ユニットの重量のバランスを取ることで該カバーに配される嵌合用の突部の破損を防止することができる。
【００２８】
この発明は、上記各実施の形態に限ることなく、その他、実施段階ではその要旨を逸脱しない範囲で種々の変形を実施し得ることが可能である。さらに、上記各実施形態には、種々の段階の発明が含まれており、開示される複数の構成要件における適宜な組合せにより種々の発明が抽出され得る。
【産業上の利用可能性】
【００２９】
本発明によるカメラは、少なくとも２つの枠部材からなる筐体を有するカメラにおいて、落下等に対する耐衝撃性に優れ、小型化も可能であるカメラとして利用可能である。
【図面の簡単な説明】
【００３０】
【図１】本発明の一実施形態としてのカメラの斜視図である。
【図２】図１のカメラの背面図である。
【図３】図１のカメラの外装ケースを構成する前カバーと後カバーとの分解斜視図である。
【図４】図３のＡ−Ａ断面図である。
【図５】図１のカメラが床面上に落下したときの状態を示す断面図である。
【図６】従来のカメラが床面上に落下したときの状態を示す断面図である。
【符号の説明】
【００３１】
２  …（第一の枠部材，カメラの筐体，カメラ外装）
２ｂ…突部
３  …（第二の枠部材，カメラの筐体，カメラ外装）
３ｂ…溝部
５  …レンズ鏡枠ユニット
（第一のユニット，撮影レンズユニット）
７  …電源ユニット（第二のユニット）
【図１】
2008090190.tif 000003
【図２】
2008090190.tif 000004
【図３】
2008090190.tif 000005
【図４】
2008090190.tif 000006
【図５】
2008090190.tif 000007
【図６】
2008090190.tif 000008